(57)【特許請求の範囲】
【請求項１】
赤外光を使用しない通常モード及び赤外光を使用する認証モードにおいてそれぞれ撮像が可能な撮像装置であって、
光路上に配置されたレンズ光学系と、
前記レンズ光学系を通して被写体を撮像する撮像素子と、
光路となる開口部を有する基板、前記基板に対して前記開口部から外れた退避位置と前記開口部に臨む位置とを移動自在に支持されて前記撮像素子への赤外光の進入を遮断する赤外光カットフィルタ羽根、前記赤外光カットフィルタ羽根を駆動する電磁駆動源を含む羽根駆動ユニットと、
操作者に関する情報を予め記憶する記憶手段と、
前記認証モードにおいて前記撮像素子により撮像された操作者の画像情報を前記記憶手段の情報と比較する比較手段と、
前記比較手段の比較結果に基づいて操作者の適否を判定する判定手段と、
前記羽根駆動ユニット及び撮像素子の駆動制御並びに全体の制御を司る制御手段と、を備え、
電源がオンにされると先ず前記認証モードに直接移行し、
前記制御手段は、前記電磁駆動源により前記赤外光カットフィルタ羽根を駆動制御して前記開口部に臨む位置から前記退避位置に移動させると共に前記撮像素子を駆動制御して操作者の情報を撮像させ、前記比較手段及び判定手段が比較及び判定を行い、
前記判定手段により操作者が適正と判定されたとき、前記認証モードから前記通常モードに直接移行するべく、前記制御手段は、前記電磁駆動源により前記赤外光カットフィルタ羽根を駆動制御して前記退避位置から前記開口部に臨む位置に移動させる、
ことを特徴とする撮像装置。
【請求項２】
前記電磁駆動源は、前記赤外光使用時以外において、非通電の状態で、前記赤外光カットフィルタ羽根を前記開口部に臨む位置に位置決めして保持する、
ことを特徴とする請求項１に記載の撮像装置。
【請求項３】
前記赤外光カットフィルタ羽根は、前記レンズ光学系に対して被写体側寄り又は前記撮像素子側寄りあるいは前記レンズ光学系内に介在する位置のいずれかに配置されている、
ことを特徴とする請求項１に記載の撮像装置。
【請求項４】
前記赤外光カットフィルタ羽根の他に、前記開口部を開閉するシャッタ羽根を有し、
前記電磁駆動源としての前記赤外光カットフィルタ羽根を駆動する第１電磁駆動源の他に、前記シャッタ羽根を駆動する第２電磁駆動源を有する、
ことを特徴とする請求項１に記載の撮像装置。
【請求項５】
前記赤外光カットフィルタ羽根及び前記シャッタ羽根は、前記レンズ光学系に対して被写体側寄り又は前記撮像素子側寄りあるいは前記レンズ光学系内に介在する位置のいずれかに配置されている、
ことを特徴とする請求項４に記載の撮像装置。
【請求項６】
前記赤外光カットフィルタ羽根及び前記シャッタ羽根の一方は、前記レンズ光学系に対して被写体側寄りに配置され、
前記赤外光カットフィルタ羽根及び前記シャッタ羽根の他方は、前記レンズ光学系に対して前記撮像素子側寄りに配置されている、
ことを特徴とする請求項４に記載の撮像装置。
【請求項７】
前記赤外光カットフィルタ羽根の他に、前記開口部を所定の口径に絞るか又は前記開口部を覆って光量を減少させる光量調整羽根を有し、
前記電磁駆動源としての前記赤外光カットフィルタ羽根を駆動する第１電磁駆動源の他に、前記光量調整羽根を駆動する第３電磁駆動源を有する、
ことを特徴とする請求項１に記載の撮像装置。
【請求項８】
前記赤外光カットフィルタ羽根及び前記光量調整羽根は、前記レンズ光学系に対して被写体側寄り又は前記撮像素子側寄りあるいは前記レンズ光学系内に介在する位置のいずれかに配置されている、
ことを特徴とする請求項７に記載の撮像装置。
【請求項９】
前記赤外光カットフィルタ羽根及び前記光量調整羽根の一方は、前記レンズ光学系に対して被写体側寄りに配置され、
前記赤外光カットフィルタ羽根及び前記光量調整羽根の他方は、前記レンズ光学系に対して前記撮像素子側寄りに配置されている、
ことを特徴とする請求項７に記載の撮像装置。
【請求項１０】
前記赤外光カットフィルタ羽根の他に、前記開口部を開閉するシャッタ羽根、前記開口部を所定の口径に絞るか又は前記開口部を覆って光量を減少させる光量調整羽根を有し、
前記電磁駆動源としての前記赤外光カットフィルタ羽根を駆動する第１電磁駆動源の他に、前記シャッタ羽根を開閉駆動する第２電磁駆動源、前記光量調整羽根を駆動する第３電磁駆動源を有する、
ことを特徴とする請求項１に記載の撮像装置。
【請求項１１】
前記赤外光カットフィルタ羽根、前記シャッタ羽根、及び前記光量調整羽根の支軸は、前記開口部の周囲に配列され、
前記第１電磁駆動源、前記第２電磁駆動源、及び前記第３電磁駆動源は、前記開口部の周囲に配列されている、
ことを特徴とする請求項１０に記載の撮像装置。
【請求項１２】
前記赤外光カットフィルタ羽根、前記シャッタ羽根、及び前記光量調整羽根は、前記レンズ光学系に対して被写体側寄り又は前記撮像素子側寄りあるいは前記レンズ光学系内に介在する位置のいずれかに配置されている、
ことを特徴とする請求項１０に記載の撮像装置。
【請求項１３】
前記赤外光カットフィルタ羽根は、前記レンズ光学系に対して被写体側及び前記撮像素子側の一方側寄りに配置され、
前記シャッタ羽根及び前記光量調整羽根は、前記レンズ光学系に対して被写体側及び前記撮像素子側の他方側寄りに配置されている、
ことを特徴とする請求項１０に記載の撮像装置。
【請求項１４】
前記赤外光カットフィルタ羽根は、所定の口径をなす開口を画定する一対の羽根と、前記一対の羽根に挟まれて接合された赤外光カットフィルタと、を含む、
ことを特徴とする請求項１に記載の撮像装置。
【請求項１５】
前記赤外光カットフィルタ羽根は、所定の口径をなす開口を画定する羽根と、前記開口を少なくとも覆うように前記羽根の一方側の面に接合された赤外光カットフィルタと、を含む、
ことを特徴とする請求項１に記載の撮像装置。
【請求項１６】
赤外光を使用しない通常モード及び赤外光を使用する認証モードにおいてそれぞれ撮像が可能な携帯情報端末装置であって、
光路上に配置されたレンズ光学系と、
前記レンズ光学系を通して被写体を撮像する撮像素子と、
光路となる開口部を有する基板、前記基板に対して前記開口部から外れた退避位置と前記開口部に臨む位置とを移動自在に支持されて前記撮像素子への赤外光の進入を遮断する赤外光カットフィルタ羽根、前記赤外光カットフィルタ羽根を駆動する電磁駆動源を含む羽根駆動ユニットと、
操作者に関する情報を予め記憶する記憶手段と、
前記認証モードにおいて前記撮像素子により撮像された操作者の画像情報を前記記憶手段の情報と比較する比較手段と、
前記比較手段の比較結果に基づいて操作者の適否を判定する判定手段と、
前記羽根駆動ユニット及び撮像素子の駆動制御並びに全体の制御を司る制御手段と、を備え、
電源がオンにされると先ず前記認証モードに直接移行し、
前記制御手段は、前記電磁駆動源により前記赤外光カットフィルタ羽根を駆動制御して前記開口部に臨む位置から前記退避位置に移動させると共に前記撮像素子を駆動制御して操作者の情報を撮像させ、前記比較手段及び判定手段が比較及び判定を行い、
前記判定手段により操作者が適正と判定されたとき、前記認証モードから前記通常モードに直接移行するべく、前記制御手段は、前記電磁駆動源により前記赤外光カットフィルタ羽根を駆動制御して前記退避位置から前記開口部に臨む位置に移動させる、
ことを特徴とする携帯情報端末装置。
【請求項１７】
前記判定手段の判定結果に関する情報を表示する表示手段を含む、
ことを特徴とする請求項１６に記載の携帯情報端末装置。
【請求項１８】
前記制御手段は、前記判定手段が操作者を不適と判定したとき、前記操作者によるそれ以後の操作を不能に設定する、
ことを特徴とする請求項１６に記載の携帯情報端末装置。
【発明の詳細な説明】
【技術分野】
【０００１】
本発明は、操作者の認証機能を備えた撮像装置に関し、特に、携帯電話機、携帯型パーソナルコンピュータ、携帯型音楽プレーヤ等の携帯情報端末装置に搭載されて操作者の認証の際に生体情報を撮影して認証を行う撮像装置及びこれを搭載した携帯情報端末装置に関する。
【背景技術】
【０００２】
操作者を識別する従来の認証装置としては、携帯電話機の側面に操作者の指の静脈形状、脈波、指紋等の生体情報を読み取るセンサを設け、センサにより読み取られた情報を、ＷＥＢサーバ及び管理サーバを含むユーザ管理システムに送信して、操作者の認証を行うものが知られている（例えば、特許文献１参照）。
しかしながら、この装置に採用されているセンサでは、操作者の指の静脈等に関する生体情報を、如何なる構成により読み取る（撮像する）のか、具体的な構成が開示されていない。【０００３】
また、他の識別装置としては、操作者の指に赤外光及び可視光をそれぞれ照射する光源、指からの光を可視光と赤外光とに分離するダイクロイックミラー、ダイクロイックミラーの後方に配置されたレンズ、レンズの後方に配置されたＣＣＤ（撮像素子）等を備え、指の血管画像を撮像することで、登録されている血管画像と照合して、個人の認証を行うものが知られている（例えば、特許文献２参照）。
しかしながら、この装置では、部品点数も多く、構造が複雑であり、携帯電話機等に搭載するのは困難である。【０００４】
さらに、他の識別装置としては、操作者の指に照明光を照射するための光源及び光ファイバーからなる照明手段、指を透過した白色光から可視光をカットする可視光カットフィルタ、可視光カットフィルタの後方に配置されたレンズ及びＣＣＤ等を備え、ＣＣＤにより指の血管画像を撮像して、登録された血管画像と照合して、個人の認証を行うものが知られている（例えば、特許文献３参照）。
しかしながら、この装置では、赤外光がＣＣＤ（撮像素子）に常時進入する構成になっているため、血管画像を撮影するためだけにＣＣＤを用いることはできても、通常の被写体を撮影すると画像の鮮明度が低下して、通常のデジタルカメラ（撮像装置）として適用することは困難である。
一方、通常のデジタルカメラにおいては、ＣＣＤ（撮像素子）の前方に、赤外光を遮断する赤外光カットフィルタが配置されているが、この赤外光カットフィルタと上述の可視光カットフィルタを併せ持つ構成では、血管画像等を鮮明に撮影することが難しく、構造が複雑になり、装置の大型化、高コスト化を招く。【０００５】
【特許文献１】特開２００４−３４４３７５号公報
【特許文献２】特開平１１−２０３４５２号公報
【特許文献３】特開平７−２１３７３号公報
【発明の開示】
【発明が解決しようとする課題】
【０００６】
本発明は、上記従来技術の問題点に鑑みて成されたものであり、その目的とするところは、構成部品を極力削減して、構造の簡略化、低コスト化を図り、簡易な手法にて操作者の認証が行えると共に通常の被写体の撮影も行うことができ、特に携帯電話機、携帯型パーソナルコンピュータ、携帯型音楽プレーヤ等の携帯情報端末装置に搭載可能な小型の撮像装置及びこれを搭載した携帯情報端末装置を提供することにある。
【課題を解決するための手段】
【０００７】
本発明の撮像装置は、赤外光を使用しない通常モード及び赤外光を使用する認証モードにおいてそれぞれ撮像が可能な撮像装置であって、光路上に配置されたレンズ光学系と、レンズ光学系を通して被写体を撮像する撮像素子と、光路となる開口部を有する基板，基板に対して開口部から外れた退避位置と開口部に臨む位置とを移動自在に支持されて撮像素子への赤外光の進入を遮断する赤外光カットフィルタ羽根、赤外光カットフィルタ羽根を駆動する電磁駆動源を含む羽根駆動ユニットと、操作者に関する情報を予め記憶する記憶手段と、認証モードにおいて撮像素子により撮像された操作者の画像情報を記憶手段の情報と比較する比較手段と、比較手段の比較結果に基づいて操作者の適否を判定する判定手段と、羽根駆動ユニット及び撮像素子の駆動制御並びに全体の制御を司る制御手段とを備え、電源がオンにされると先ず認証モードに直接移行し、制御手段は、電磁駆動源により赤外光カットフィルタ羽根を駆動制御して開口部に臨む位置から退避位置に移動させると共に撮像素子を駆動制御して操作者の情報を撮像させ、比較手段及び判定手段が比較及び判定を行い、判定手段により操作者が適正と判定されたとき、認証モードから通常モードに直接移行するべく、制御手段は、電磁駆動源により赤外光カットフィルタ羽根を駆動制御して退避位置から開口部に臨む位置に移動させる、ようになっている。
この構成によれば、例えば、操作者がこの撮像装置の電源を入れて、自動的に赤外光を使用する操作者の認証モードに直接移行すると、制御手段が電磁駆動源により赤外光カットフィルタ羽根を駆動制御して開口部に臨む位置から退避位置に移動させ、開口部の前面に置かれた操作者の指等を透過した赤外光は、レンズを経て撮像素子に進入し血管画像を結像させ、この血管画像を予め登録された画像と照合して認証を行い、一方、認証で許可された後は一般の撮影を行う通常モードに直接移行し、赤外光カットフィルタ羽根は、開口部に臨む位置に位置決めされているため、撮像素子に進入する赤外光が遮断されて、被写体の鮮明なカラー撮影画像を得ることができる。
このように、赤外光カットフィルタ羽根を開口部に対して可動としたことにより、赤外光を使用しない通常モードにおいて通常の撮影を行えると共に、赤外光を使用する認証モードにおいて操作者の生体情報（血管画像）を撮影することもできる。
特に、操作が許可される操作者の情報（例えば、指の血管画像に関する情報）を記憶手段に予め記憶しておき、操作者が電源を入れて操作しようとしたとき、撮像素子でその操作者の指等の情報（例えば血管画像）を撮像し、比較手段によりその撮像画像を記憶された画像と比較して、判定手段によりその操作者が本来許可される者か否かその適否が判定されるため、赤外光を使用する認証モードにおいて、操作者の認証が一連の処理に基づいて確実に行われ、認証を迅速にかつ高精度に行うことができる。
【０００８】
上記構成の撮像装置において、電磁駆動源は、赤外光使用時以外において、非通電の状態で、赤外光カットフィルタ羽根を開口部に臨む位置に位置決めして保持する、構成を採用することができる。
この構成によれば、赤外光を使用しないで通常の被写体を撮影する通常モードでは、赤外光カットフィルタ羽根は、非通電の状態で開口部に臨む位置に位置決めされて保持されるため、消費電力を低減することができ、この撮像装置が携帯電話機等の小型の携帯情報端末装置に搭載される際に、電源を小型化でき、全体の小型化に寄与する。【０００９】
上記構成の撮像装置において、赤外光カットフィルタ羽根は、レンズ光学系に対して被写体側寄り又は撮像素子側寄りあるいはレンズ光学系内に介在する位置のいずれかに配置されている、構成を採用することができる。
この構成によれば、レンズ光学系の後方に撮像素子が配置される状態で、赤外光カットフィルタ羽根を、レンズ光学系よりも前側、レンズ光学系よりも後側、あるいは、レンズ光学系のレンズとレンズの間に配置するため、仕様に応じた自由な配置が可能になる。特に、撮像素子側寄りに配置することにより、赤外光を使用しないで通常の撮影を行う通常モードにおいて撮像素子に赤外光が進入するのをより確実に防止することができる。【００１０】
上記構成の撮像装置において、赤外光カットフィルタ羽根の他に、開口部を開閉するシャッタ羽根を有し、上記電磁駆動源としての赤外光カットフィルタ羽根を駆動する第１電磁駆動源の他に、シャッタ羽根を駆動する第２電磁駆動源を有する、構成を採用することができる。
この構成によれば、第１電磁駆動源により赤外光カットフィルタ羽根を駆動すると共に、第２電磁駆動源によりシャッタ羽根を開閉駆動することでシャッタ機能が得られるため、赤外光を使用しない通常の撮影でシャッタ機能を用いることができるのは勿論のこと、赤外光を使用する認証モードにおける生体の撮影でも、必要であればシャッタ機能を作動させることができる。
【００１１】
上記構成の撮像装置において、赤外光カットフィルタ羽根及びシャッタ羽根は、レンズ光学系に対して被写体側寄り又は撮像素子側寄りあるいはレンズ光学系内に介在する位置のいずれかに配置されている、構成を採用することができる。
この構成によれば、レンズ光学系の後方に撮像素子が配置される状態で、赤外光カットフィルタ羽根及びシャッタ羽根を一緒に、レンズ光学系よりも前側、レンズ光学系よりも後側、あるいは、レンズ光学系のレンズとレンズの間に配置するため、小型化及び構造の簡素化を達成しつつ仕様に応じた自由な配置が可能になる。特に、撮像素子側寄りに配置することにより、赤外光を使用しないで通常の撮影を行う通常モードにおいて撮像素子に赤外光が進入するのをより確実に防止することができる。【００１２】
上記構成の撮像装置において、赤外光カットフィルタ羽根及びシャッタ羽根の一方は、レンズ光学系に対して被写体側寄りに配置され、赤外光カットフィルタ羽根及びシャッタ羽根の他方は、レンズ光学系に対して撮像素子側寄りに配置されている、構成を採用することができる。
この構成によれば、赤外光カットフィルタ羽根とシャッタ羽根を離して、それぞれレンズ光学系の前側か後側に配置するため、レンズ光学系の前側の隙間及びレンズ光学系の後側の隙間（バックフォーカス）が狭い場合に適している。【００１３】
上記構成の撮像装置において、赤外光カットフィルタ羽根の他に、開口部を所定の口径に絞るか又は開口部を覆って光量を減少させる光量調整羽根を有し、上記電磁駆動源としての赤外光カットフィルタ羽根を駆動する第１電磁駆動源の他に、光量調整羽根を駆動する第３電磁駆動源を有する、構成を採用することができる。
この構成によれば、第１電磁駆動源により赤外光カットフィルタ羽根を駆動すると共に、第３電磁駆動源により光量調整羽根を駆動することで光量調節機能が得られるため、赤外光を使用しない通常の撮影で光量調節機能を用いることができるのは勿論のこと、赤外光を使用する認証モードでの生体の撮影でも、必要であれば光量調節機能を作動させることができる。
【００１４】
上記構成の撮像装置において、赤外光カットフィルタ羽根及び光量調整羽根は、レンズ光学系に対して被写体側寄り又は撮像素子側寄りあるいはレンズ光学系内に介在する位置のいずれかに配置されている、構成を採用することができる。
この構成によれば、レンズ光学系の後方に撮像素子が配置される状態で、赤外光カットフィルタ羽根及び光量調整羽根を一緒に、レンズ光学系よりも前側、レンズ光学系よりも後側、あるいは、レンズ光学系のレンズとレンズの間に配置するため、小型化及び構造の簡素化を達成しつつ仕様に応じた自由な配置が可能になる。特に、撮像素子側寄りに配置することにより、赤外光を使用しないで通常の撮影を行う通常モードにおいて撮像素子に赤外光が進入するのをより確実に防止することができる。【００１５】
上記構成の撮像装置において、赤外光カットフィルタ羽根及び光量調整羽根の一方は、レンズ光学系に対して被写体側寄りに配置され、赤外光カットフィルタ羽根及び光量調整羽根の他方は、レンズ光学系に対して撮像素子側寄りに配置されている、構成を採用することができる。
この構成によれば、赤外光カットフィルタ羽根と光量調整羽根を離して、それぞれレンズ光学系の前側か後側に配置するため、レンズ光学系の前側の隙間及びレンズ光学系の後側の隙間（バックフォーカス）が狭い場合に適している。【００１６】
上記構成の撮像装置において、赤外光カットフィルタ羽根の他に、開口部を開閉するシャッタ羽根、開口部を所定の口径に絞るか又は開口部を覆って光量を減少させる光量調整羽根を有し、上記電磁駆動源としての赤外光カットフィルタ羽根を駆動する第１電磁駆動源の他に、シャッタ羽根を開閉駆動する第２電磁駆動源、光量調整羽根を駆動する第３電磁駆動源を有する、構成を採用することができる。
この構成によれば、第１電磁駆動源により赤外光カットフィルタ羽根を駆動すると共に、第２電磁駆動源によりシャッタ羽根を開閉駆動することでシャッタ機能が得られ、第３電磁駆動源により光量調整羽根を駆動することで光量調節機能が得られるため、赤外光を使用しない通常の撮影でシャッタ機能及び光量調調節機能を用いることができるのは勿論のこと、赤外光を使用する認証モードにおける生体の撮影でも、必要であればシャッタ機能及び光量調節機能を作動させることができる。
【００１７】
上記構成の撮像装置において、赤外光カットフィルタ羽根、シャッタ羽根、及び光量調整羽根の支軸は、開口部の周囲に配列され、第１電磁駆動源、第２電磁駆動源、及び第３電磁駆動源は、開口部の周囲に配列されている、構成を採用することができる。
この構成によれば、赤外光カットフィルタ羽根及び第１電磁駆動源、シャッタ羽根及び第２電磁駆動源、光量調整羽根及び第３電磁駆動源を含む構成において、これらを開口部の周りに配列したことにより、開口部を中心として部品の集約化を行え、撮像装置の小型化、さらには撮像装置を搭載する携帯電話機等の小型化を達成できる。【００１８】
上記構成の撮像装置において、赤外光カットフィルタ羽根、シャッタ羽根、及び光量調整羽根は、レンズ光学系に対して被写体側寄り又は撮像素子側寄りあるいはレンズ光学系内に介在する位置のいずれかに配置されている、構成を採用することができる。
この構成によれば、レンズ光学系の後方に撮像素子が配置される状態で、赤外光カットフィルタ羽根、シャッタ羽根、及び光量調整羽根を一緒に、レンズ光学系よりも前側、レンズ光学系よりも後側、あるいは、レンズ光学系のレンズとレンズの間に配置するため、小型化及び構造の簡素化を達成しつつ仕様に応じた自由な配置が可能になる。特に、撮像素子側寄りに配置することにより、赤外光を使用しないで通常の撮影を行う通常モードにおいて撮像素子に赤外光が進入するのをより確実に防止することができる。【００１９】
上記構成の撮像装置において、赤外光カットフィルタ羽根は、レンズ光学系に対して被写体側及び撮像素子側の一方側寄りに配置され、シャッタ羽根及び光量調整羽根は、レンズ光学系に対して被写体側及び撮像素子側の他方側寄りに配置されている、構成を採用することができる。
この構成によれば、シャッタ羽根及び光量調整羽根を一緒にして赤外光カットフィルタ羽根から離し、それぞれレンズ光学系の前側か後側に配置するため、レンズ光学系の前側の隙間及びレンズ光学系の後側の隙間（バックフォーカス）が狭い場合に適している。【００２０】
上記構成の撮像装置において、赤外光カットフィルタ羽根は、所定の口径をなす開口を画定する一対の羽根と、一対の羽根に挟まれて接合された赤外光カットフィルタを含む、構成を採用することができる。
この構成によれば、赤外光カットフィルタが一対の羽根に挟まれた積層構造をなすため、機械的強度が高くなり、又、赤外光カットフィルタに傷が付くのを防止でき、さらに、打ち抜き型等を共用でき製造コスト等を低減できる。【００２１】
上記構成の撮像装置において、赤外光カットフィルタ羽根は、所定の口径をなす開口を画定する羽根と、開口を少なくとも覆うように羽根の一方側の面に接合された赤外光カットフィルタを含む、構成を採用することができる。
この構成によれば、積層構造の赤外光カットフィルタ羽根に比べて、薄型化、軽量化、さらには撮像装置を薄型化することができる。【００２３】
本発明の携帯情報端末装置は、赤外光を使用しない通常モード及び赤外光を使用する認証モードにおいてそれぞれ撮像が可能な携帯情報端末装置であって、光路上に配置されたレンズ光学系と、レンズ光学系を通して被写体を撮像する撮像素子と、光路となる開口部を有する基板，基板に対して開口部から外れた退避位置と開口部に臨む位置とを移動自在に支持されて撮像素子への赤外光の進入を遮断する赤外光カットフィルタ羽根、赤外光カットフィルタ羽根を駆動する電磁駆動源を含む羽根駆動ユニットと、操作者に関する情報を予め記憶する記憶手段と、認証モードにおいて撮像素子により撮像された操作者の画像情報を記憶手段の情報と比較する比較手段と、比較手段の比較結果に基づいて操作者の適否を判定する判定手段と、羽根駆動ユニット及び撮像素子の駆動制御並びに全体の制御を司る制御手段とを備え、電源がオンにされると先ず認証モードに直接移行し、制御手段は、電磁駆動源により赤外光カットフィルタ羽根を駆動制御して開口部に臨む位置から退避位置に移動させると共に撮像素子を駆動制御して操作者の情報を撮像させ、比較手段及び判定手段が比較及び判定を行い、判定手段により操作者が適正と判定されたとき、認証モードから通常モードに直接移行するべく、制御手段は、電磁駆動源により赤外光カットフィルタ羽根を駆動制御して退避位置から開口部に臨む位置に移動させる、ようになっている。
この構成によれば、操作者がこの携帯情報端末装置の電源を入れて、自動的に赤外光を使用する操作者の認証モードに直接移行すると、制御手段が電磁駆動源により赤外光カットフィルタ羽根を駆動制御して開口部に臨む位置から退避位置に移動させ、開口部の前面に置かれた操作者の指等を透過した赤外光は、レンズを経て撮像素子に進入し血管画像を結像させ、この血管画像を予め登録された画像と照合して認証を行い、一方、認証で許可された後は一般の撮影を行う通常モードに直接移行し、赤外光カットフィルタ羽根は、開口部に臨む位置に位置決めされているため、撮像素子に進入する赤外光が遮断されて、被写体の鮮明なカラー撮影画像を得ることができる。
このように、赤外光カットフィルタ羽根を開口部に対して可動としたことにより、携帯情報端末装置において、赤外光を使用しない通常モードにおいて通常の撮影を行えると共に、赤外光を使用する認証モードにおいて操作者の生体情報（血管画像）を撮影することもできる。
特に、操作が許可される操作者の情報（例えば、指の血管画像に関する情報）を記憶手段に予め記憶しておき、操作者が電源を入れて操作しようとしたとき、撮像素子でその操作者の指等の情報（例えば血管画像）を撮像し、比較手段によりその撮像画像を記憶された画像と比較して、判定手段によりその操作者が本来許可される者か否かその適否が判定されるため、赤外光を使用する認証モードにおいて、操作者の認証が一連の処理に基づいて確実に行われ、認証を迅速にかつ高精度に行うことができる。
【００２５】
上記構成の携帯情報端末装置において、判定手段の判定結果に関する情報を表示する表示手段を含む、構成を採用することができる。
この構成によれば、表示手段（例えば、液晶モニター等）が判定結果に関する情報を表示するため、例えば、操作者が本来承認されない不適な者であるとき、そのことを警告することができる。【００２６】
上記構成の携帯情報端末装置において、制御手段は、判定手段が操作者を不適と判定したとき、その操作者によるそれ以後の操作を不能に設定する、構成を採用することができる。
この構成によれば、判定手段が操作者を不適と判定したとき、制御手段がそれ以後の操作を不能（例えば、電源を自動的にオフにする）にするため、許可されない者が勝手に携帯情報端末装置を操作するのを防止することができる。
【発明の効果】
【００２７】
上記構成をなす本発明の撮像装置及び携帯情報端末装置によれば、構成部品を極力削減して、構造の簡略化、低コスト化を達成しつつ、簡易な手法にて操作者の認証が行えると共に通常の被写体の撮影も行うことができる撮像装置を得ることができ、又、この撮像装置を搭載することにより、認証機能及び撮影機能を兼ね備えた小型の携帯電話機、携帯型パーソナルコンピュータ、携帯型音楽プレーヤ等の携帯情報端末装置が得られる。
【図面の簡単な説明】
【００２８】
【図１】本発明に係る撮像装置を搭載した携帯情報端末装置としての携帯電話機を示す正面図である。
【図２】図１の携帯電話機に搭載された撮像装置を示す部分断面図である。
【図３】図１の携帯電話機に搭載された撮像装置の分解斜視図である。
【図４】撮像装置の一部をなす羽根駆動ユニットを示す平面図である。
【図５】撮像装置の一部をなす羽根駆動ユニットを示す分解斜視図である。
【図６】撮像装置の一部をなす羽根駆動ユニットに含まれる赤外光カットフィルタ羽根の分解斜視図である。
【図７】赤外光カットフィルタ羽根を駆動する第１電磁駆動源を示す分解斜視図である。
【図８】シャッタ羽根を駆動する第２電磁駆動源及び光量調整羽根を駆動する第３電磁駆動源を示す分解斜視図である。
【図９】図１に示す携帯電話機に含まれる制御回路を示すブロック図である。
【図１０】撮像装置を搭載する携帯電話機における認証モードでの制御動作を示すフローチャートである。
【図１１】赤外光カットフィルタ羽根の他の実施形態を示す分解斜視図である。
【図１２】光量調整羽根としてのＮＤフィルタ羽根を示す斜視図である。
【図１３】光量調整羽根としてのＮＤフィルタ羽根の他の実施形態を示す斜視図である。
【図１４】撮像装置の他の実施形態を示す部分断面図である。
【図１５】撮像装置のさらに他の実施形態を示す部分断面図である。
【図１６】撮像装置のさらに他の実施形態を示す部分断面図である。
【符号の説明】
【００２９】
１  携帯電話機の本体
２  ヒンジ部
３  携帯電話機の蓋体
３ｂ  撮影窓
１０  撮像装置
２０，２０´，２０´´  羽根駆動ユニット
２１  地板（基板）
２１ａ  開口部
２１ｃ，２１ｄ，２１ｄ  支軸
２２  裏板（基板）
２２ａ  開口部
２３  赤外光カットフィルタ羽根（羽根部材）
２３´  一対の羽根
２３´´  赤外光カットフィルタ
２４  シャッタ羽根（羽根部材）
２５  絞り羽根（羽根部材、光量調整羽根）
２６  第１電磁駆動源
２７  第２電磁駆動源
２８  第３電磁駆動源
３０，１３０，２３０，３３０  レンズユニット
３１，１３１，２３１，３３１  レンズ枠
３２，１３２，２３２，３３２  第１レンズ（レンズ光学系）
３３，１３３，２３３，３３３  第２レンズ（レンズ光学系）
３４，１３４，２３４，３３４  第３レンズ（レンズ光学系）
４０  撮像ユニット
４１  回路基板
４２  ＣＣＤ（撮像素子）
５０  制御回路
５１  制御手段（ＣＰＵ）
５２  ＣＣＤ駆動回路
５３  第１駆動回路
５４  第２駆動回路
５５  第３駆動回路
５６  画像処理回路
５７  記憶手段
５８  比較手段
５９  判定手段
６０  表示手段
１２３  赤外光カットフィルタ羽根（羽根部材）
１２３´  羽根
１２３´´  赤外光カットフィルタ
１２５，２２５  ＮＤフィルタ羽根（羽根部材、光量調整羽根）
【発明を実施するための最良の形態】
【００３０】
以下、本発明の最良の実施形態について、添付図面を参照しつつ説明する。ここでは、本発明に係る撮像装置を携帯情報端末装置としての携帯電話機に搭載した場合について説明する。
この携帯電話機は、図１に示すように、複数の操作釦１ａが配置され内部に各種の制御回路、電子部品等が収容された本体１、本体１に対してヒンジ部２を介して開閉自在に結合されると共に情報を表示するための液晶表示部３ａをもつ蓋体３、蓋体３の撮影窓３ｂの後方に内蔵された撮像装置１０等を備えている。尚、撮像装置１０は、本体１あるいはヒンジ部２に内蔵されてもよい。【００３１】
撮像装置１０は、図２及び図９に示すように、撮影窓３ｂに近い側から順に配置された、羽根駆動ユニット２０、レンズ光学系を形成するレンズユニット３０、撮像ユニット４０等を備えて、カメラユニットを形成している。【００３２】
羽根駆動ユニット２０は、図２ないし図４に示すように、光軸方向Ｌにおいてレンズユニット３０よりも被写体側に配置されており、光路となる開口部２１ａ，２２ａを有する基板としての地板２１及び裏板２２、開口部２１ａ，２２ａから外れた退避位置と開口部２１ａ，２２ａに臨む位置とを移動自在に地板２１に支持された羽根部材としての赤外光カットフィルタ羽根２３，シャッタ羽根２４，及び光量調整羽根としての絞り羽根２５、赤外光カットフィルタ羽根２３を駆動する第１電磁駆動源２６、シャッタ羽根２４を駆動する第２電磁駆動源２７、絞り羽根２５を駆動する第３電磁駆動源２８等により形成されている。【００３３】
地板２１は、図２、図３、図４、図５、図７、図８に示すように、略円板状に形成され、その中央に形成された光路となる開口部２１ａ、開口部２１ａの周りに形成された略扇状の３つの貫通孔２１ｂ、一方の面から突出して形成され赤外光カットフィルタ羽根２３，シャッタ羽根２４，絞り羽根２５をそれぞれ回動自在に支持する４つの支軸２１ｃ，２１ｄ，２１ｄ，２１ｅ、他方の面から突出して形成され３つの電磁駆動源２６，２７，２８をそれぞれ固定するための６つの取付けボス部２１ｆ等を備えている。
裏板２２は、図５に示すように、略円板状に形成され、その中央に形成された光路となる開口部２２ａ、開口部２２ａの周りに形成され後述する駆動ピン２６２ｂ，２７２ｂ，２８２ｂを通す３つの長孔２２ｂ、長孔２２ｂの近傍に形成され支軸２１ｃ，２１ｄ，２１ｄ，２１ｅをそれぞれ嵌合させる４つの円孔２２ｃ，２２ｄ，２２ｄ，２２ｅ、ネジＢを通す３つのネジ孔２２ｆ等を備えている。
そして、地板２１と裏板２２とは、図２に示すように、赤外光カットフィルタ羽根２３、シャッタ羽根２４、絞り羽根２５を回動自在に収容する羽根室Ｗを画定するように、ネジＢにより締結されている。尚、開口部２１ａ，２２ａは、撮像装置１０が携帯電話機に搭載された状態で、撮影窓３ｂと同軸上（光軸Ｌ上）に配置されるようになっている。【００３４】
赤外光カットフィルタ羽根２３は、赤外光がＣＣＤ４２へ進入するのを遮断するものであり、図４ないし図６に示すように、プラスチックもしくは金属材料により形成された一対の羽根２３´の間にフィルム状の赤外光カットフィルタ２３´´を挟み、接着、溶着、カシメ等の手法を用いて一体的に接合したものであり、光路となる開口部２１ａ，２２ａよりも大きい口径をもつ開口２３ａ、支軸２１ｃを通す円孔２３ｂ、駆動ピン２６２ｂを通す長孔２３ｃを有する。
そして、赤外光カットフィルタ羽根２３は、図４に示すように、円孔２３ｂに支軸２１ｃが挿入され、長孔２３ｃに駆動ピン２６２ｂが挿入され、支軸２１ｃ回りに回動自在に支持されており、駆動ピン２６２ｂが所定範囲を往復動することにより、図４に示すように開口部２１ａに臨む位置と、開口部２１ａから外れた退避位置との間を移動するようになっている。
ここでは、赤外光カットフィルタ羽根２３は、同一の輪郭をなす一対の羽根２３´及び赤外光カットフィルタ２３´´の積層構造をなすため、機械的強度が高くなり、又、赤外光カットフィルタ２３´´に傷が付くのを防止でき、さらに、打ち抜き型等を共用でき製造コスト等を低減できる。【００３５】
シャッタ羽根２４は、開口部２１ａ，２２ａを開閉するものであり、図４及び図５に示すように、薄板状のプラスチックもしくは金属材料により形成された一対の羽根からなり、支軸２１ｄを通す円孔２４ｂ、駆動ピン２７２ｂを通す長孔２４ｃを有する。
そして、シャッタ羽根２４は、図４に示すように、円孔２４ｂに支軸２１ｄが挿入され、長孔２４ｃに駆動ピン２７２ｂが挿入され、支軸２１ｄ回りに回動自在に支持されており、駆動ピン２７２ｂが所定範囲を往復動することにより、図４に示すように開口部２１ａから外れた退避位置（開放位置）と開口部２１ａに臨む位置（閉鎖位置）との間を移動するようになっている。【００３６】
絞り羽根２５は、開口部２１ａ，２２ａを所定の口径に絞って通過する光量を調節するものであり、図４及び図５に示すように、薄板状のプラスチックもしくは金属材料により形成された一枚の羽根からなり、開口部２１ａの口径よりも小さい口径をなす絞り開口２５ａ、支軸２１ｅを通す円孔２５ｂ、駆動ピン２８２ｂを通す長孔２５ｃを有する。
そして、絞り羽根２５は、図４に示すように、円孔２５ｂに支軸２１ｅが挿入され、長孔２５ｃに駆動ピン２８２ｂが挿入され、支軸２１ｅ回りに回動自在に支持されており、駆動ピン２８２ｂが所定範囲を往復動することにより、図４に示すように開口部２１ａから外れた退避位置（非絞り位置）と開口部２１ａに臨む位置（絞り位置）との間を移動するようになっている。【００３７】
第１電磁駆動源２６は、赤外光カットフィルタ羽根２３を駆動するものであり、図４及び図７に示すように、地板２１に連結される上下枠部材２６１、Ｎ極及びＳ極に着磁された磁石部２６２ａ及び駆動ピン２６２ｂを有するロータ２６２、励磁用のコイル２６３、ロータ２６２と同軸に配置された円筒状のヨーク２６４、鉄ピン（不図示）等により形成されている。尚、ヨーク２６４は、コイル２６３の外側において、上側の枠部材２６１に取り付けられて磁路を形成するものであり、鉄ピン（不図示）は、ロータ２６２との間で磁気的吸引力を生じさせて、非通電の状態で作動範囲の両端に駆動ピン２６２ｂを停止させて保持するように形成されている。
そして、第１電磁駆動源２６はネジＢにより地板２１に固定され、ロータ２６２は、駆動ピン２６２ｂが赤外光カットフィルタ羽根２３の長孔２３ｃに挿入されて、扇状の貫通孔２１ｂで規制される範囲において回動し、赤外光カットフィルタ羽根２３を開口部２１ａに臨む位置と退避位置との間で移動させるようになっている。【００３８】
第２電磁駆動源２７は、シャッタ羽根２４を駆動するものであり、図４及び図８に示すように、地板２１に連結される押え板２７１、Ｎ極及びＳ極に着磁された磁石部２７２ａ及び駆動ピン２７２ｂを有するロータ２７２、励磁用のコイル２７３、略Ｕ字状に形成されたヨーク２７４等により形成されている。尚、ヨーク２７４は、ロータ２７２との間で磁気的吸引力を生じさせて、非通電の状態で作動範囲の両端に駆動ピン２７２ｂを停止させて保持するように形成されている。
そして、第２電磁駆動源２７はネジＢにより地板２１に固定され、ロータ２７２は、駆動ピン２７２ｂがシャッタ羽根２４の長孔２４ｃに挿入されて、扇状の貫通孔２１ｂで規制される範囲において回動し、シャッタ羽根２４を開口部２１ａに臨む位置と退避位置との間で移動させるようになっている。【００３９】
第３電磁駆動源２８は、絞り羽根２５を駆動するものであり、図４及び図８に示すように第２電磁駆動源２７と同一の構成に形成されて、地板２１に連結される押え板２８１、Ｎ極及びＳ極に着磁された磁石部２８２ａ及び駆動ピン２８２ｂを有するロータ２８２、励磁用のコイル２８３、略Ｕ字状に形成されたヨーク２８４等により形成されている。尚、ヨーク２８４は、ロータ２８２との間で磁気的吸引力を生じさせて、非通電の状態で作動範囲の両端に駆動ピン２８２ｂを停止させて保持するように形成されている。
そして、第３電磁駆動源２８はネジＢにより地板２１に固定され、ロータ２８２は、駆動ピン２８２ｂが絞り羽根２５の長孔２５ｃに挿入されて、扇状の貫通孔２１ｂで規制される範囲において回動し、絞り羽根２５を開口部２１ａに臨む位置と退避位置との間で移動させるようになっている。【００４０】
ここで、赤外光カットフィルタ羽根２３、シャッタ羽根２４、及び絞り羽根２５は、図４に示すように、開口部２１ａの周りに配置された支軸２１ｃ，２１ｄ，２１ｅに回動自在に支持されて周方向に配列された状態となっている。また、第１電磁駆動源２６、第２電磁駆動源２７、及び第３電磁駆動源２８も、図４に示すように、開口部２１ａの周りにおいて周方向に配列された状態となっている。
このような配置構成を採用することで、開口部２１ａを中心として部品の集約化を行うことができ、撮像装置１０の小型化、さらには撮像装置１０を搭載する携帯電話機等の小型化を達成できる。【００４１】
レンズユニット３０は、図２及び図３に示すように、光軸方向Ｌにおいて撮像ユニット４０（ＣＣＤ４２）よりも被写体側に配置されており、レンズ枠３１、レンズ枠３１にそれぞれ固定された，第１レンズ３２、第２レンズ３３、及び第３レンズ３４等により形成されている。すなわち、第１レンズ３２、第２レンズ３３、及び第３レンズ３４によりレンズ光学系が形成されている。【００４２】
撮像ユニット４０は、図２及び図３に示すように、光軸方向Ｌにおいてレンズ光学系（第１レンズ３２、第２レンズ３３、第３レンズ３４）の後方に配置されて、レンズ枠３１の後端に接合された回路基板４１、回路基板４１に対して固定された撮像素子としてのＣＣＤ４２、回路基板４１上に設けられた各種の配線及び電子部品並びに制御回路５０等により形成されている。すなわち、ＣＣＤ４２は、レンズ光学系を通して被写体を撮像するようになっている。
尚、撮像素子としては、ＣＣＤ４２に限らず、ＣＭＯＳ、その他の素子を適用することができる。【００４３】
制御回路５０は、図９に示すように、電磁駆動源２６，２７，２８及びＣＣＤ４２等の駆動制御さらには全体の制御を司る制御手段（ＣＰＵ）５１、ＣＣＤ４２を駆動制御するＣＣＤ駆動回路５２、第１電磁駆動源２６を駆動制御する第１駆動回路５３、第２電磁駆動源２７を駆動制御する第２駆動回路５４、第３電磁駆動源２８を駆動制御する第３駆動回路５５、ＣＣＤ４２により撮像された撮像画像を処理する画像処理回路５６、操作者に関する情報（指の血管画像に関する情報等）を予め記憶する記憶手段５７、赤外光を使用する操作者の認証モードにおいてＣＣＤ４２により撮像された操作者の画像情報（指の血管画像に関する情報）を記憶手段５７に記憶された情報（操作が許可される操作者の画像情報（指の血管画像に関する情報）と比較する比較手段５８、比較手段５８の比較結果に基づいて操作者の適否を判定する判定手段５９等を備えている。
ここで、制御回路５０は、携帯電話機の本体１又は蓋体３に直接配置され、各種の配線を介して、ＣＣＤ４２及び羽根駆動ユニット２０を駆動制御するようにしてもよい。
また、制御回路５０により制御されるものとして、図９に示すように、判定手段５９の判定結果に関する情報を表示する表示手段６０が、携帯電話機の本体１又は蓋体３に設けられて、操作者にその情報を告知するようになっている。尚、表示手段６０としては、携帯電話機の液晶表示部３ａを兼用してもよく、専用の表示モニターを採用してもよい。
【００４４】
次に、この撮像装置１０が携帯電話機に搭載されて、認証のための撮影を行う場合の動作の一例について、図１０に示すフローチャートを参照しつつ説明する。尚、それぞれの駆動制御は、制御手段（ＣＰＵ）５１が司る。
先ず、携帯電話機の電源がオンにされると（ステップＳ１）、自動的に操作者が登録された者か否かの識別を行うように赤外光を使用する認証モードになる（ステップＳ２）。尚、この認証モードにおいて、操作者が許可されない限り、次の操作を行うことはできない（操作釦１ａを押しても何ら反応しない）ようになっている。【００４５】
続いて、第１電磁駆動源２６が通電されて、赤外光カットフィルタ羽根２３が開口部２１ａから外れた退避位置に移動する（ステップＳ３）。このとき、通電が断たれた状態でも、赤外光カットフィルタ羽根２３は退避位置に保持される。【００４６】
そして、操作者が指を撮影窓３ｂに近接させると、所定のタイミングで認証のための画像が撮影される（ステップＳ４）。このとき、外部から指に照射される光に含まれる赤外光は、指を透過した後、レンズ光学系（第１レンズ３２、第２レンズ３３、第３レンズ３４）を経てＣＣＤ４２に入射し、ＣＣＤ４２は血管画像を結像させて撮像する。そして、撮像された画像は、記憶手段５７に予め記憶された情報と比較され得るように画像処理回路５６にて所定の処理が施される。【００４７】
そして、比較手段５８により、ＣＣＤ４２により撮像された操作者の画像（指の血管画像）に関する情報と予め記憶手段５７に登録された操作者の血管画像に関する情報とが比較され、判定手段５９により、両情報が一致するか否かの判定（照合）が行われる（ステップＳ５）。
ここで、不一致（不適）と判断された場合は、その認証の回数Ｎがカウントされ（ステップＳ６）、Ｎ＜Ｎ１のときは再びステップＳ２に戻って認証モードを繰り返す。そして、Ｎ≧Ｎ１のときは認証が不許可となり、電源が自動的にオフとされる（ステップＳ７）。すなわち、判定手段５９が操作者を不適と判定したとき、その操作者によるそれ以後の操作が不能に設定される。これにより、許可されない者が勝手に携帯電話機を操作するのを防止することができる。
このとき、表示手段６０により、判定結果に関する情報（例えば、当該操作者は登録された操作者ではないため操作が許可されない、という趣旨の情報）を表示するようにして、警告することもできる。
このように、ＣＣＤ４２による操作者の指の血管画像等の撮像→比較手段５８による記憶情報と撮像情報との比較→判定手段５９による判定というように、操作者の認証が一連の処理に基づいて確実に行われるため、認証を迅速にかつ高精度に行うことができる。【００４８】
一方、ステップＳ５において、画像が一致すると判断された場合は、第１電磁駆動源２６が通電されて、赤外光カットフィルタ２３が開口部２１ａに臨む位置に移動する（ステップＳ８）。そして、第１電磁駆動源２６が非通電とされても、赤外光カットフィルタ羽根２３は開口部２１ａに臨む位置に停止した状態で保持される。
これにより、赤外光を使用しないで通常の被写体を撮影できる通常モードに移行する（ステップＳ９）。この通常モードは最も長く持続される状態であるため、非通電状態で赤外光カットフィルタ羽根２３を保持することにより、消費電力を低減でき、それ故に、電源等の小型化を達成できる。【００４９】
そして、この通常モードにおいて、被写体を撮影したい場合は、レリーズ動作を行うことにより、第２電磁駆動源２７が通電されて、シャッタ羽根２４が開口部２１ａを閉鎖してシャッタ動作を完了する。また、必要に応じて光量を調節するために、予め第３電磁駆動源２８が通電されて、絞り羽根２５が開口部２１ａに望む絞り位置に移動し、その後、第２電磁駆動源２７が通電されて、シャッタ羽根２４が開口部２１ａに臨む閉鎖位置に移動してシャッタ動作を完了する。
この赤外光を使用しない通常モードでは、赤外光カットフィルタ羽根２３は、開口部２１ａに望む位置に位置決めされているため、ＣＣＤ４２に進入する赤外光が遮断されて、被写体の鮮明なカラー撮影画像を得ることができる。【００５０】
尚、このようなシャッタ動作あるいは絞り動作は、赤外光を使用する認証モードにおいて必要な場合は、同様のシャッタ動作又は絞り動作が行われるように駆動制御されてもよい。
このように、赤外光カットフィルタ羽根２３を開口部２１ａに対して可動としたことにより、赤外光を使用しない通常モードにおいて通常の撮影を行えると同時に、赤外光を使用する認証モードにおいて操作者の生体情報（血管画像）を撮影することもできる。【００５１】
図１１は、赤外光カットフィルタ羽根の他の実施形態を示すものである。この実施形態においては、赤外光カットフィルタ羽根１２３は、プラスチックもしくは金属材料により形成された一つの羽根１２３´と、羽根１２３´の裏面に接合されたフィルム状の赤外光カットフィルタ１２３´´により形成されている。
羽根１２３´は、開口部２１ａよりも大きい口径をなす開口１２３ａ、支軸２１ｃを通す円孔１２３ｂ、駆動ピン２６２ｂを通す長孔１２３ｃを備えている。
赤外光カットフィルタ１２３´´は、開口１２３ａを少なくとも覆うように、羽根１２３´の一方側の面（裏面）に接着、溶着、カシメ等の手法を用いて接合されている。
また、この赤外光カットフィルタ１２３を採用するとき、裏板２２´には、赤外光カットフィルタ１２３´´との干渉を避けるために、長孔形状の開口部２２ａ´が形成されている。赤外光カットフィルタ羽根１２３は、積層構造の赤外光カットフィルタ羽根２３に比べて、薄型化、軽量化されるため、撮像装置１０の薄型化に寄与する。【００５２】
図１２は、撮像装置１０に適用される光量調整羽根として、絞り羽根２５に替えてＮＤフィルタ羽根１２５を採用する場合の実施形態を示すものである。
ＮＤフィルタ羽根１２５は、図１２に示すように、プラスチックもしくは金属材料により形成された一対の羽根１２５´の間にフィルム状のＮＤフィルタ１２５´´を挟み、接着、溶着、カシメ等の手法を用いて一体的に接合したものであり、光路となる開口部２１ａ，２２ａよりも大きい口径をもつ開口１２５ａ、支軸２１ｅを通す円孔１２５ｂ、駆動ピン２８２ｂを通す長孔１２５ｃを有する。
この場合も、赤外光カットフィルタ羽根２３と同様に、積層構造をなすため機械的強度が高くなり、又、ＮＤフィルタ１２５´´に傷が付くのを防止でき、さらに、打ち抜き型等を共用でき製造コスト等を低減できる。【００５３】
図１３は、撮像装置１０に適用される光量調整羽根として、絞り羽根２５に替えてＮＤフィルタ羽根２２５を採用する場合の他の実施形態を示すものである。
ＮＤフィルタ羽根２２５は、図１３に示すように、プラスチックもしくは金属材料により形成された一つの羽根２２５´と、羽根２２５´の裏面に接合されたフィルム状のＮＤフィルタ２２５´´により形成されている。羽根２２５´は、開口部２１ａよりも小さい（又は大きい）口径をなす開口２２５ａ、円孔２２５ｂ、長孔２２５ｃを備え、ＮＤフィルタ２２５´´は、開口２２５ａを少なくとも覆うように、接着、溶着、カシメ等の手法を用いて接合されている。このＮＤフィルタ羽根２２５は、前述のＮＤフィルタ羽根１２５に比べて薄型化、軽量化される。【００５４】
図１４は、本発明に係る撮像装置１０の他の実施形態を示すものであり、羽根駆動ユニットの配置位置を変更及びそれに伴ってレンズユニットを変更した以外は、前述の図２に示す実施形態と同一であるため、同一の構成については同一の符号を付してその説明を省略する。
この実施形態においては、図１４に示すように、レンズユニット１３０が、レンズ枠１３１、レンズ枠１３１にそれぞれ固定された，第１レンズ１３２、第２レンズ１３３、及び第３レンズ１３４等により形成されている。すなわち、第１レンズ１３２、第２レンズ１３３、及び第３レンズ１３４によりレンズ光学系が形成されている。
そして、羽根駆動ユニット２０が、光軸方向Ｌにおいて、レンズ光学系（第１レンズ１３２、第２レンズ１３３、及び第３レンズ１３４）よりもＣＣＤ４２（撮像素子）側寄りに配置されている。【００５５】
これによれば、レンズ光学系（第１レンズ１３２、第２レンズ１３３、及び第３レンズ１３４）の後方にＣＣＤ４２（撮像素子）が配置される状態で、羽根駆動ユニット２０の羽根部材（赤外光カットフィルタ羽根２３，シャッタ羽根２４、及び絞り羽根２５）が全て一緒にレンズ光学系（第１レンズ１３２、第２レンズ１３３、及び第３レンズ１３４）よりも後側に配置されるため、全体の薄型化を達成しつつ、特に撮影窓３ｂと第１レンズ１３２の間隔が狭い場合に適した配置となり、又、特に赤外光フィルタ羽根２３がＣＣＤ４２側寄りに配置されるため、赤外光を使用しないで通常の撮影を行う通常モードにおいて、ＣＣＤ４２に赤外光が進入するのをより確実に防止することができる。【００５６】
図１５は、本発明に係る撮像装置１０のさらに他の実施形態を示すものであり、羽根駆動ユニットの配置位置を変更及びそれに伴ってレンズユニットを変更した以外は、前述の図２に示す実施形態と同一であるため、同一の構成については同一の符号を付してその説明を省略する。
この実施形態においては、図１５に示すように、レンズユニット２３０が、レンズ枠２３１、レンズ枠２３１にそれぞれ固定された，第１レンズ２３２、第２レンズ２３３、及び第３レンズ２３４等により形成されている。すなわち、第１レンズ２３２、第２レンズ２３３、及び第３レンズ２３４によりレンズ光学系が形成されている。
そして、羽根駆動ユニット２０の羽根部材（赤外光カットフィルタ羽根２３、シャッタ羽根２４、及び絞り羽根２５）が、光軸方向Ｌにおいて、レンズ光学系内に介在するように、すなわち、第１レンズ２３２と第２レンズ２３３の間に位置付けられるように配置されている。【００５７】
これによれば、レンズ光学系（第１レンズ２３２、第２レンズ２３３、及び第３レンズ２３４）の後方にＣＣＤ４２（撮像素子）が配置される状態で、羽根駆動ユニット２０の羽根部材（赤外光カットフィルタ羽根２３，シャッタ羽根２４、及び絞り羽根２５）が全て一緒にレンズ光学系内に介在するように（すなわち、第１レンズ２３２と第２レンズ２３３の間に）配置されるため、特に第１レンズ２３２と第２レンズ２３３の間隔が比較的広い場合に適した配置となり、レンズ同士の間隔を有効に利用して全体の薄型化を達成することができる。【００５８】
図１６は、本発明に係る撮像装置１０のさらに他の実施形態を示すものであり、羽根駆動ユニットの配置位置を変更及びそれに伴ってレンズユニットを変更した以外は、前述の図２に示す実施形態と同一であるため、同一の構成については同一の符号を付してその説明を省略する。
この実施形態においては、図１６に示すように、レンズユニット３３０が、レンズ枠３３１、レンズ枠３３１にそれぞれ固定された，第１レンズ３３２、第２レンズ３３３、及び第３レンズ３３４等により形成されている。すなわち、第１レンズ３３２、第２レンズ３３３、及び第３レンズ３３４によりレンズ光学系が形成されている。
そして、羽根駆動ユニットの羽根部材が、光軸方向Ｌにおいて、レンズ光学系（第１レンズ３３２、第２レンズ３３３、及び第３レンズ３３４）よりもＣＣＤ４２（撮像素子）側寄りに配置される羽根駆動ユニット２０´と、レンズ光学系（第１レンズ３３２、第２レンズ３３３、及び第３レンズ３３４）よりも被写体側寄りに配置される羽根駆動ユニット２０´´に分離して配置されている。
羽根駆動ユニット２０´は、図１６に示すように、赤外光カットフィルタ羽根２３、第１電磁駆動源２６、地板２１、裏板２２等により形成されている。そして、赤外光カットフィルタ羽根２３は、光軸方向Ｌにおいて、レンズ光学系（第１レンズ３３２、第２レンズ３３３、及び第３レンズ３３４）よりもＣＣＤ４２側寄りに配置された状態となっている。
羽根駆動ユニット２０´´は、図１６に示すように、シャッタ羽根２４、絞り羽根２５、第２電磁駆動源２７、第３電磁駆動源２８、地板２１、裏板２２等により形成されている。そして、シャッタ羽根２４及び絞り羽根２５は、光軸方向Ｌにおいて、レンズ光学系（第１レンズ３３２、第２レンズ３３３、及び第３レンズ３３４）よりも被写体側寄りに配置された状態となっている。【００５９】
これによれば、シャッタ羽根２４及び絞り羽根２５を一緒にして赤外光カットフィルタ羽根２３から離し、シャッタ羽根２４及び絞り羽根２５をレンズ光学系（第１レンズ３３２、第２レンズ３３３、及び第３レンズ３３４）の前側に、赤外光カットフィルタ羽根２３をレンズ光学系（第１レンズ３３２、第２レンズ３３３、及び第３レンズ３３４）の後側に配置するため、撮影窓３ｂと第１レンズ３３２の間の隙間及び第３レンズ３３４とＣＣＤ４２の間の隙間（バックフォーカス）が狭い場合に適しており、又、赤外光フィルタ羽根２３がＣＣＤ４２側寄りに配置されるため、赤外光を使用しないで通常の撮影を行う通常モードにおいて、ＣＣＤ４２に赤外光が進入するのをより確実に防止することができる。【００６０】
この実施形態においては、赤外光カットフィルタ羽根２３をレンズ光学系に対してＣＣＤ４２側寄りに配置しかつシャッタ羽根２４及び絞り羽根２５をレンズ光学系に対して被写体側寄りに配置した場合を示したが、これに限定されるものではなく、逆に、赤外光カットフィルタ羽根２３をレンズ光学系に対して被写体側寄りに配置しかつシャッタ羽根２４及び絞り羽根２５をレンズ光学系に対してＣＣＤ４２側寄りに配置してもよい。【００６１】
以上述べた実施形態においては、撮像装置１０が、羽根部材として、赤外光カットフィルタ羽根２３、シャッタ羽根２４、及び絞り羽根２５を含み、かつ、電磁駆動源として、第１電磁駆動源２６、第２電磁駆動源２７、及び第３電磁駆動源２８を含む場合を示したが、これに限定されるものではなく、羽根部材及び電磁駆動源として、赤外光カットフィルタ羽根２３及び第１電磁駆動源２６だけを含む構成、又は、赤外光カットフィルタ羽根２３及び第１電磁駆動源２６の他にシャッタ羽根２４及び第２電磁駆動源２７を含む構成、又は、赤外光カットフィルタ羽根２３及び第１電磁駆動源２６の他に絞り羽根２５及び第３電磁駆動源２８を含む構成を採用してもよい。
そして、このような羽根部材及び電磁駆動源の構成において、羽根部材を、レンズ光学系に対して被写体側寄りの位置、又は、レンズ光学系に対してＣＣＤ４２（撮像素子）側寄りの位置、あるいは、レンズ光学系内に介在する位置のいずれかに配置するようにしてもよい。
これによれば、レンズ光学系の後方に撮像素子（ＣＣＤ４２）が配置される状態で、赤外光カットフィルタ羽根２３、シャッタ羽根２４、絞り羽根２５を配置する際の自由度が増え、小型化及び構造の簡素化を達成しつつ、レンズ光学系の仕様に応じて自由に配置することができる。【００６２】
尚、上記実施形態では口径板を備えていないが、口径板を備え露光のための開口径をこの口径板により規制するようにしてもよい。
さらに、上記実施形態においては、撮像装置１０を携帯電話機に搭載した場合を示したが、これに限定されるものではなく、携帯型パーソナルコンピュータ、携帯型音楽プレーヤ等その他の携帯情報端末装置に搭載してもよい。
【産業上の利用可能性】
【００６３】
以上述べたように、本発明の撮像装置は、携帯電話機、携帯型パーソナルコンピュータ、携帯型音楽プレーヤ等の携帯情報端末装置に搭載されて操作者の認証のための撮影を行う場合に適用できるのは勿論のこと、その他の医療機器あるいはオフィスでの認証システム等に採用されて、通常の撮影と認証用の撮影を行うのに有用である。
【図１】
0005094389.tif 000002
【図２】
0005094389.tif 000003
【図３】
0005094389.tif 000004
【図４】
0005094389.tif 000005
【図５】
0005094389.tif 000006
【図６】
0005094389.tif 000007
【図７】
0005094389.tif 000008
【図８】
0005094389.tif 000009
【図９】
0005094389.tif 000010
【図１０】
0005094389.tif 000011
【図１１】
0005094389.tif 000012
【図１２】
0005094389.tif 000013
【図１３】
0005094389.tif 000014
【図１４】
0005094389.tif 000015
【図１５】
0005094389.tif 000016
【図１６】
0005094389.tif 000017